(57)【要約】【課題】フィルタを容易に清掃できるレンジフード及びレンジフード用フィルタを提供すること。【解決手段】排気ガスを吸い込んで屋外へ排出する気流を形成する送風装置３と、送風装置３を内蔵するレンジフード本体２と、レンジフード本体２に着脱可能に取り付けられて、送風装置３の吸込口近傍に配置されるフィルタ１０とを有するレンジフード１において、フィルタ１０は、表面フィルタ部材１１と複数の棒付きフィルタ部材２１，３１とを分割可能に重ね合わせたものであり、表面フィルタ部材１１は、複数の穴１３が形成されたものであり、棒付きフィルタ部材２１，３１は、複数の捕集棒２３，２４，３３を支持枠２２，３２に架設したものであり、表面フィルタ部材１１と複数の棒付きフィルタ部材２１，３１とを重ね合わせた場合に、穴１３上に捕集棒２３，２４，３３が配置される。【選択図】図３
2011169544.tif 000002
【特許請求の範囲】
【請求項１】
排気ガスを吸い込んで屋外へ排出する気流を形成する送風装置と、前記送風装置を内蔵するレンジフード本体と、前記レンジフード本体に着脱可能に取り付けられて、前記送風装置の吸込口近傍に配置されるフィルタとを有するレンジフードにおいて、
前記フィルタは、表面フィルタ部材と複数の棒付きフィルタ部材とを分割可能に重ね合わせたものであり、
前記表面フィルタ部材は、複数の穴が形成されたものであり、
前記棒付きフィルタ部材は、複数の捕集棒を支持枠に架設したものであり、
前記表面フィルタ部材と前記複数の棒付きフィルタ部材とを重ね合わせた場合に、前記穴上に前記捕集棒が配置されている
ことを特徴とするレンジフード。
【請求項２】
請求項１に記載するレンジフードにおいて、
前記棒付きフィルタ部材は、前記表面フィルタ部材と前記複数の棒付きフィルタ部材とを重ね合わせた場合に、前記複数の捕集棒が他の棒付きフィルタ部材の捕集棒と互い違いに配置される
ことを特徴とするレンジフード。
【請求項３】
請求項１又は請求項２に記載するレンジフードにおいて、
前記捕集棒は、断面が円形状、多角形状又は楕円形状である
ことを特徴とするレンジフード。
【請求項４】
請求項１乃至請求項３の何れか１つに記載するレンジフードにおいて、
前記表面フィルタ部材は、油脂分を溜めるオイル回収部が、前記捕集棒の一端に対応する位置に設けられ、
前記フィルタは、前記オイル回収部が設けられた端部が、前記オイル回収部が設けられた端部と反対側の端部より低い位置に配置されるように取り付けられている
ことを特徴とするレンジフード。
【請求項５】
レンジフードに着脱自在に取り付けられるレンジフード用フィルタにおいて、
前記フィルタは、表面フィルタ部材と複数の棒付きフィルタ部材とを分割可能に重ね合わせたものであり、
前記表面フィルタ部材は、複数の穴が形成されたものであり、
前記棒付きフィルタ部材は、複数の捕集棒を支持枠に架設したものであり、
前記表面フィルタ部材と前記複数の棒付きフィルタ部材とを重ね合わせた場合に、前記穴上に前記捕集棒が配置されている
ことを特徴とするレンジフード用フィルタ。
【発明の詳細な説明】
【技術分野】
【０００１】
本発明は、レンジから発生する排気ガスを集めて捕集して屋外へ排気するレンジフード及びレンジフード用フィルタに関する。
【背景技術】
【０００２】
レンジフードは、レンジ上方に配置した送風装置によりレンジで発生した排気ガスを吸い込み、排気管を介して屋外へ排気する。送風装置が排気ガスをダイレクトに吸い込んで屋外へ排気すると、排気ガスに含まれる油脂分が排気管に溜まったり、家の外壁を汚す等の不具合が生じる。そのため、レンジフードは、送風装置の給気口付近にフィルタが配設され、フィルタを通して排気ガスを屋外に排気している。フィルタは、排気ガスから油脂分を捕集し、屋外へ排出される油脂分を少なくしている。
【０００３】
フィルタには、不織布などを枠に張った使い捨てタイプのフィルタがある。使い捨てタイプのフィルタは、汚れたら新しい物に交換するだけで良いので、清掃がいらず便利である。しかし、使い捨てタイプのフィルタは、交換品にコストがかかったり、交換品購入時にサイズを間違えたり、資源を多く消費する等の問題がある。
【０００４】
他方、金属製の使い回しタイプのフィルタならば、洗浄により繰り返し使用できるため、使い捨てタイプのフィルタのような問題が生じない。しかし、使い回しタイプのフィルタは、フィルタ穴が油脂分により目詰まりすると、排気能力が低下する問題がある。よって、従来より、清掃性に優れたフィルタが考案されている。例えば、特許文献１記載のフィルタは、複数の穴が形成された平板体を、穴の位置をずらすように複数枚重ねて構成されている。このようなフィルタは、各平板体に凹凸がないため、分解した平板体の表面をスポンジで擦って汚れを落としやすい。
【先行技術文献】
【特許文献】
【０００５】
【特許文献１】特開２０００−９３７２２号公報
【発明の概要】
【発明が解決しようとする課題】
【０００６】
しかしながら、排気ガスには、油脂分だけでなく、塵埃も含まれている。排気ガスに含まれる塵埃は、フィルタの穴の縁に引っ掛かって堆積し、フィルタの穴の開口面積を狭くして排気性能を低下させていた。また、塵埃がフィルタの穴にひどく堆積し、フィルタの穴を目詰まりさせる虞があった。しかも、塵埃には油の粒子が付着している。そのため、平板体の表面をスポンジで擦って清掃しようとしても、塵埃が玉になって平面体の穴に詰まったり、油に混じった塵埃が平面体の表面に糊のように伸ばされてくっつきやすかった。よって、従来のレンジフードは、フィルタを清掃しにくかった。
【０００７】
本発明は、上記問題点を解決するためになされたものであり、フィルタを容易に清掃できるレンジフード及びレンジフード用フィルタを提供することを目的とする。
【課題を解決するための手段】
【０００８】
本発明に係るレンジフード及びレンジフード用フィルタは、次のような構成を有している。
排気ガスを吸い込んで屋外へ排出する気流を形成する送風装置と、前記送風装置を内蔵するレンジフード本体と、前記レンジフード本体に着脱可能に取り付けられて、前記送風装置の吸込口近傍に配置されるフィルタとを有するレンジフードにおいて、前記フィルタは、表面フィルタ部材と複数の棒付きフィルタ部材とを分割可能に重ね合わせたものであり、前記表面フィルタ部材は、複数の穴が形成されたものであり、前記棒付きフィルタ部材は、複数の捕集棒を支持枠に架設したものであり、前記表面フィルタ部材と前記複数の棒付きフィルタ部材とを重ね合わせた場合に、前記穴上に前記捕集棒が配置されている。
【０００９】
上記構成において、前記棒付きフィルタ部材は、前記表面フィルタ部材と前記複数の棒付きフィルタ部材とを重ね合わせた場合に、前記複数の捕集棒が他の棒付きフィルタ部材の捕集棒と互い違いに配置されることが好ましい。
【００１０】
上記構成において、前記捕集棒は、断面が円形状、多角形状又は楕円形状であることが好ましい。
【００１１】
上記構成において、前記表面フィルタ部材は、油脂分を溜めるオイル回収部が、前記捕集棒の一端に対応する位置に設けられ、前記フィルタは、前記オイル回収部が設けられた端部が、前記オイル回収部が設けられた端部と反対側の端部より低い位置に配置されるように取り付けられていることが好ましい。
【００１２】
レンジフードに着脱自在に取り付けられるレンジフード用フィルタにおいて、前記フィルタは、表面フィルタ部材と複数の棒付きフィルタ部材とを分割可能に重ね合わせたものであり、前記表面フィルタ部材は、複数の穴が形成されたものであり、前記棒付きフィルタ部材は、複数の捕集棒を支持枠に架設したものであり、前記表面フィルタ部材と前記複数の棒付きフィルタ部材とを重ね合わせた場合に、前記穴上に前記捕集棒が配置されている。
【発明の効果】
【００１３】
上記構成では、表面フィルタ部材の穴上に棒付きフィルタ部材の捕集棒が配置されるように、表面フィルタ部材に複数の棒付きフィルタ部材を重ね合わせてフィルタを構成している。送風装置の気流により表面フィルタ部材の穴に吸い込まれた排気ガスは、捕集棒の間を流れる流線を形成する。このとき、排気ガスに含まれる塵埃や油の粒子等は、慣性力によって排気ガスの流線から外れ、捕集棒に接触して捕集される。そのため、レンジフードは、フィルタにより塵埃や油分などを除去された排気ガスを屋外へ排出する。フィルタを清掃する場合には、フィルタをレンジフードから取り外して、表面フィルタ部材と複数の棒付きフィルタ部材に分割し、表面フィルタ部材と棒付きフィルタ部材を個別に洗浄する。分割された表面フィルタ部材と棒付きフィルタ部材は、コンパクトであるため、食洗器に入れて洗浄することも可能である。そして、洗浄した表面フィルタ部材と複数の棒付きフィルタ部材は、重ね合わされてフィルタを構成し、レンジフードに再装着される。これにより、フィルタの清掃が完了する。よって、上記構成のレンジフード及びレンジフード用フィルタによれば、フィルタを表面フィルタ部材と複数の棒付きフィルタ部材に分解してコンパクトにできるので、容易に清掃できる。
【００１４】
上記構成では、表面フィルタ部材と複数の棒付きフィルタ部材とを重ね合わせた場合に、複数の棒付きフィルタ部材の捕集棒が互い違いに配置されている。そのため、表面フィルタ部材の穴に吸い込まれた排気ガスは、捕集棒にぶつかっては流れを分割され、捕集棒の間を何度か蛇行して流れる。排気ガスは、それに含まれる塵埃や油等の粒子が、排気ガスの流線の向きが変わる度に、慣性力によって排気ガスの流線から外れて捕集棒に捕集される。よって、上記構成のレンジフードによれば、排気ガスの流線の向きを捕集棒により何回も変えることにより、排気ガスに含まれる塵埃や油等の粒子が捕集棒に捕集されやすくなり、捕集効率を高めることができる。
【００１５】
上記構成では、捕集棒の断面が円形状、多角形上又は楕円形状をなし、捕集棒が排気ガスに接触する面積を広くしているので、捕集効率を向上させることができる。
【００１６】
上記構成では、フィルタがオイル回収部を低い位置に配置するように取り付けられ、捕集棒に付着した油脂分が自重により捕集棒を伝って一端へ流れ、オイル回収部に回収されるので、捕集棒に油脂分が付着したまま固化しにくく、棒付きフィルタが汚れにくい。
【図面の簡単な説明】
【００１７】
【図１】本発明の実施形態に係るレンジフードの概略構成図である。
【図２】フィルタの分解斜視図である。
【図３】フィルタの部分断面図であって、図中矢印は排気ガスの流れを示している。
【図４】フィルタの第１変形例を示す図である。
【図５】フィルタの第２変形例を示す図である。
【発明を実施するための形態】
【００１８】
以下に、本発明に係るレンジフード及びレンジフード用フィルタの実施形態について、図面を参照して説明する。
【００１９】
＜レンジフードの概略構成＞
図１は、レンジフード１の概略構成図である。
レンジフード１は、加熱調理器具Ｈの上方を覆うようにレンジフード本体２を配置している。送風装置３は、レンジフード本体２の上部に内設され、廃ガス、油煙、蒸気、臭気などの排気ガスを排気管４を介して屋外へ排出させる気流を形成する。フィルタ１０は、レンジフード本体２に設けられた桟２ａ，２ａに着脱可能に支持され、整流板５と送風装置３との間に配置されている。フィルタ１０は、四角形状をなし、レンジフード本体２の横方向に複数並べて設けられており、整流板５から送風装置３へ流れる排気ガスが通過する際に油脂分や塵埃などを捕集する。各フィルタ１０は、オイル回収容器６側を低くするようにレンジフード１に取り付けられ、捕集した油脂分を自重によりオイル回収容器６へ流すようにしている。フィルタ１０は、表面フィルタ部材１１と第１棒付きフィルタ部材２１と第２棒付きフィルタ部材３１とを重ね合わせた構造をなす。表面フィルタ部材１１と第１及び第２棒付きフィルタ部材２１，３１は、アルミなどの錆びにくい金属を材質として構成されている。
【００２０】
＜フィルタ構造＞
図２は、フィルタ１０の分解斜視図である。図３は、フィルタ１０の部分断面図であって、図中矢印は排気ガスの流れを示している。
フィルタ１０は、表面フィルタ部材１１の各穴１３上に第１及び第２棒付きフィルタ部材２１，３１の捕集棒２３，２４，３３を配置することにより、排気ガスの粒子が慣性力によって流線からはずれ、排気ガスに含まれる塵埃や油分などが捕集棒２３，２４，３３に接触して捕集されるように構成されている。
【００２１】
表面フィルタ部材１１は、平板１２に打ち抜き等で多数の穴１３を形成したものである。平板１２の縁部には、第１及び第２棒付きフィルタ部材２１，３１を位置決めして保持するための壁１４が折り曲げ加工や溶接等により設けられている。表面フィルタ部材１１の穴１３は、捕集棒２３，２４，３３と平行になるように長く形成され、通気用の開口面積を大きくして排気抵抗を抑えるとともに、排気ガスが捕集棒２３，２４，３３に接触する面積を広くしている。
【００２２】
第１棒付きフィルタ部材２１は、四角く形成された支持枠２２に、一組の捕集棒２３，２４を複数組溶接したものである。支持枠２２は、表面フィルタ部材１１の壁１４の内周に沿って配置される大きさを有し、第１棒付きフィルタ部材２１が表面フィルタ部材１１に対してがたつきにくくしている。捕集棒２３，２４は、コの字型をなし、両端部を支持枠２２の内周部に固定されることにより、支持枠２２から一方向に突出して設けられている。一組の捕集棒２３，２４は、長手方向に並んで形成された穴１３上に２本並んで配置されるように、所定間隔を空けて平行に固定されている。
【００２３】
第２棒付きフィルタ部材３１は、支持枠３２に直線状の捕集棒３３を複数本溶接したものである。支持枠３２は、支持枠２２と同様、表面フィルタ部材１１の壁１４の内周に沿って配置される大きさを有し、第２棒付きフィルタ部材３１が表面フィルタ部材１１に対してがたつきにくくしている。捕集棒３３は、第１棒付きフィルタ部材２１の一組の捕集棒２３，２４の間に配置されるように、支持枠３２に平行に架設されている。
【００２４】
フィルタ１０は、第１棒付きフィルタ部材２１が、捕集棒２３，２４を上向きに突出させるように支持枠２２を壁１４に沿わせて表面フィルタ部材１１に挿入され、支持枠２２を平板１２に当接させている。そして、フィルタ１０は、第２棒付きフィルタ部材３１が、各捕集棒３３を対応する一組の捕集棒２３，２４の間にそれぞれ挿入するように支持枠３２を壁１４に沿わせて表面フィルタ部材１１に挿入され、支持枠３２を支持枠２２に重ねている。
【００２５】
第１棒付きフィルタ部材２１の捕集棒２３，２４がコの字型をなし、上方に突出するように支持枠２２に配置される一方、第２棒付きフィルタ部材３１の捕集棒３３が真っ直ぐな棒状をなし、支持枠３２とほぼ同一平面上に配置されている。そのため、図３に示すように、フィルタ１０は、各捕集棒３３が対応する一組の捕集棒２３，２４の間から下方に突出している。すなわち、捕集棒２３，２４，３３は、穴１３の上方に逆三角形に配置される。そのため、穴１３から入った排気ガスは、捕集棒２３，２４，３３の間を蛇行しながら流れ、捕集棒２３，２４，３３に順次接触するようになる。
【００２６】
図２に示すように、表面フィルタ部材１１の平板１２には、第１及び第２棒付きフィルタ部材２１，３１に対向する面の一端に、捕集棒２３，２４，３３に付着した油や送風装置３が回収した油を溜めるためのオイル回収部１５が平板１２の表面から凹んで設けられている。また、平板１２には、フィルタ１０の着脱時に使用者に摘まれるつまみ１６が、オイル回収部１５が設けられた端部と反対側の端部に設けられている。
【００２７】
＜排気動作について＞
次に、レンジフード１が排気ガスを排気する動作について説明する。
図示しないスイッチによりレンジフード１に排気指令が入力されると、送風装置３が駆動して、加熱調理器具Ｈで発生した排気ガスを吸い込むための気流を発生させる。加熱調理器具Ｈで発生した排気ガスは、整流板５によりフィルタ１０へ案内され、フィルタ１０の平板１２にぶつかって平板１２の表面に広がる。広がった排気ガスは、複数の穴１３に分かれて流れ込んだ後、捕集棒２３，２４，３３の間を縫うようにして流れ、その後、送風装置３に吸い込まれて排気管４を介して屋外へ排出される。
【００２８】
この場合、図３に示すように、排気ガスは、穴１３によって流量を絞られ、穴１３の真上に設けられた第２棒付きフィルタ部材３１の捕集棒３３へ向かって流れる。排気ガスは、捕集棒３３にぶつかって捕集棒３３の両脇に沿って流れる。このとき、排気ガスに含まれる塵埃や油等の粒子が、慣性力により排気ガスの流線からずれ、捕集棒３３に引っ掛かって捕集される。その後、捕集棒３３の両脇に分かれて流れる排気ガスは、第１棒付きフィルタ部材２１の捕集棒２３，２４にそれぞれぶつかって捕集棒２３，２４の両脇に沿って流れた後、送風装置３に集められて吸い込まれる。このとき、排気ガスに含まれる塵埃や油等の粒子が、慣性力により排気ガスの流線から外れ、捕集棒２３，２４に接触し
て捕集される。よって、レンジフード１は、塵埃や油分などを除去した排気ガスを屋外へ排出できる。
【００２９】
捕集棒２３，２４，３３に捕集された油は、フィルタ１０がオイル回収部１５側を低くしてレンジフード１に取り付けられているため、捕集棒２３，２４，３３を伝ってオイル回収部１５に流れ落ちて回収され、捕集棒２３，２４，３３から捕集した油等が垂れることを防ぐ。送風装置３やフィルタ１０に付着した油は、表面フィルタ部材１１と第１及び第２棒付きフィルタ部材２１，３１からレンジフード１の内壁を伝ってオイル回収容器６へ流れて回収される。
【００３０】
＜レンジフードの清掃について＞
使用者は、例えば定期的に、整流板５と複数のフィルタ１０を取り外し、送風装置３内を清掃する。このとき、使用者は、つまみ１６をつまんで各フィルタ１０をレンジフード１の桟２ａから取り外すが、表面フィルタ部材１１の壁１４により第１及び第２棒付きフィルタ部材２１，３１が位置決め保持されているため、フィルタ１０を取り外す途中で表面フィルタ部材１１と第１及び第２棒付きフィルタ部材２１，３１がバラバラに分解しにくい。整流板５は、洗浄やふき取りにより汚れを除去される。また、各フィルタ１０は、表面フィルタ部材１１と第１及び第２棒付きフィルタ部材２１，３１に分けられて洗浄される。更に、使用者は、オイル回収容器６をレンジフード本体２から取り外して溜まった油を捨て、オイル回収容器６を洗浄する。このようにして各部材の清掃が終了したら、使用者は、各部材を元の位置に戻し、清掃を終了する。
【００３１】
＜フィルタの清掃について＞
フィルタの清掃についてより具体的に説明する。レンジフード１から取り外されたフィルタ１０は、表面フィルタ部材１１から第１及び第２棒付きフィルタ部材２１，３１を取り外し、分解する。そして、表面フィルタ部材１１と第１及び第２棒付きフィルタ部材２１，３１を個別に洗浄する。このとき、表面フィルタ部材１１と第１及び第２棒付きフィルタ部材２１，３１を手洗いしても良いし、表面フィルタ部材１１と第１及び第２棒付きフィルタ部材２１，３１を食洗器に入れて自動洗浄しても良い。表面フィルタ部材１１は、凹凸が少なく、オイル回収部１５に溜まった油等を紙で拭き取ってから、スポンジ等で平板１２や壁１４の表面を擦って汚れを落としやすい。また、第１及び第２棒付きフィルタ部材２１，３１は、支持枠２２，３２に捕集棒２３，２４，３３を架設しただけのものであるため、支持枠２２，３２や捕集棒２３，２４，３３をスポンジ等で擦れば、簡単に汚れを落とすことができる。特に、第１及び第２棒付きフィルタ部材２１，３１は、油脂分が捕集棒２３，２４，３３を伝って表面フィルタ部材１１のオイル回収部１５に回収され、捕集棒２３，２４，３３に残って固まりにくくなっているため、清掃時に捕集棒２３，２４，３３が頑固な汚れがなく、汚れを落としやすい。また、表面フィルタ部材１１と第１及び第２棒付きフィルタ部材２１，３１を食洗器に入れて洗浄する場合でも、洗浄液が表面フィルタ部材１１と第１及び第２棒付きフィルタ部材２１，３１の全体に満遍なく当たり、汚れが落ちやすい。
【００３２】
洗浄したフィルタ１０は、水気を拭き取って、レンジフード本体２の桟２ａに再装着される。
【００３３】
＜作用効果＞
以上説明したように、本実施形態のレンジフード１及びフィルタ１０では、表面フィルタ部材１１の穴１３上に第１及び第２棒付きフィルタ部材２１，３１の捕集棒２３，２４，３３が配置されるように、表面フィルタ部材１１に第１及び第２棒付きフィルタ部材２１，３１を重ね合わせてフィルタ１０を構成している。送風装置３の気流により表面フィルタ部材１１の穴１３に吸い込まれた排気ガスは、捕集棒２３，２４，３３の間を流
れる流線を形成する。このとき、排気ガスに含まれる塵埃や油の粒子等は、慣性力によって排気ガスの流線から外れ、捕集棒２３，２４，３３に接触して捕集される。そのため、レンジフード１は、フィルタ１０により塵埃や油分などを除去された排気ガスを屋外へ排出する。フィルタ１０を清掃する場合には、フィルタ１０をレンジフード１から取り外して、表面フィルタ部材１１と第１及び第２棒付きフィルタ部材２１，３１に分割し、表面フィルタ部材１１と棒付きフィルタ部材２１，３１を個別に洗浄する。分割された表面フィルタ部材１１と棒付きフィルタ部材２１，３１は、コンパクトであるため、食洗器に入れて洗浄することも可能である。そして、洗浄した表面フィルタ部材１１と第１及び第２棒付きフィルタ部材２１，３１は、重ね合わされてフィルタ１０を構成し、レンジフード１に再装着される。これにより、フィルタ１０の清掃が完了する。よって、本実施形態のレンジフード１及びフィルタ１０によれば、フィルタ１０を表面フィルタ部材１１と第１及び第２棒付きフィルタ部材２１，３１に分解してコンパクトにできるので、容易に清掃できる。
【００３４】
本実施形態のレンジフード１及びフィルタ１０では、表面フィルタ部材１１と第１及び第２棒付きフィルタ部材２１，３１とを重ね合わせた場合に、第１及び第２棒付きフィルタ部材２１，３１の捕集棒２３，２４，３３が互い違いに配置されている。そのため、表面フィルタ部材１１の穴１３に吸い込まれた排気ガスは、捕集棒２３，２４，３３にぶつかっては流れを分割され、捕集棒２３，２４，３３の間を何度か蛇行して流れる。排気ガスは、それに含まれる塵埃や油等の粒子が、排気ガスの流線の向きが変わる度に、慣性力によって排気ガスの流線から外れて捕集棒２３，２４，３３に捕集される。よって、本実施形態のレンジフード１及びフィルタ１０によれば、排気ガスの流線の向きを捕集棒２３，２４，３３により何回も変えることにより、排気ガスに含まれる塵埃や油等の粒子が捕集棒２３，２４，３３に捕集されやすくなり、捕集効率を高めることができる。
【００３５】
上記実施形態のレンジフード１では、フィルタ１０がオイル回収部１５を低い位置に配置するように取り付けられ、捕集棒２３，２４，３３に付着した油脂分が自重により捕集棒２３，２４，３３を伝って捕集棒２３，２４，３３の一端へ流れ、オイル回収部１５に回収されるので、捕集棒２３，２４，３３に油脂分が付着したまま固化しにくく、第１及び第２棒付きフィルタ２１，２２が汚れにくい。
【００３６】
＜変形例＞
尚、本発明は、上記実施形態に限定されることなく、色々な応用が可能である。
（１）例えば、上記実施形態では、表面フィルタ部材１１と第１及び第２棒付きフィルタ部材２１，３１を金属製としたが、表面フィルタ部材１１と第１及び第２棒付きフィルタ部材２１，３１の材質を他の不燃材にしても良い。この場合、防錆性のみでなく、フィルタの軽量化も図ることができる。
（２）例えば、上記実施形態では、表面フィルタ部材１１に第１及び第２棒付きフィルタ部材２１，３１を積層したが、３個以上の棒付きフィルタ部材を表面フィルタ部材１１に積層しても良い。この場合、排気ガスは、より多くの捕集棒に接触し、捕集効率が高められる。また、１個の棒付きフィルタ部材を表面フィルタ部材１１に積層し、フィルタの厚みを薄くしても良い。
（３）例えば、上記実施形態では、図３に示すように断面丸形状の丸棒を捕集棒２３，２４，３３に使用したが、図４に示すように断面三角形状の捕集棒２３Ａ，２４Ａ，３３Ａを使用したフィルタ１０Ａや図５に示すように断面楕円形状の捕集棒２３Ｂ，２４Ｂ，３３Ｂを使用したフィルタ１０Ｂ、断面菱形形状の捕集棒を使用したフィルタ等、捕集棒の形状を変更しても良い。このように、断面が多角形状又は楕円形状の捕集棒を使用することにより、排気ガスが捕集棒に接触する面積が広くなるので、捕集効率を向上させることができる。
（４）例えば、上記実施形態では、全ての捕集棒２３，２４，３３を同一の丸形状としたが、断面形状の異なる棒を組み合わせて各捕集棒２３，２４，３３にしても良い。
（５）例えば、上記実施形態では、穴１３の上方に３本の捕集棒２３，２４，３３を配置したが、１本又は４本以上の捕集棒を穴１３上に配置するようにしても良い。
（６）例えば、上記実施形態の表面フィルタ部材１１と第１及び第２棒付きフィルタ部材２１，３１に表面加工を施し、油が落ちやすくしても良い。
【符号の説明】
【００３７】
１  レンジフード
２  レンジフード本体
３  送風装置
１０，１０Ａ，１０Ｂ  フィルタ
１１  表面フィルタ部材
１３  穴
１５  オイル回収部
２１，３１  第１及び第２棒付きフィルタ部材（複数の棒付きフィルタ部材の一例）
２２，３２  支持枠
２３，２４，３３，２３Ａ，２４Ａ，３３Ａ，２３Ｂ，２４Ｂ，３３Ｂ  捕集棒
【図１】
2011169544.tif 000003
【図２】
2011169544.tif 000004
【図３】
2011169544.tif 000005
【図４】
2011169544.tif 000006
【図５】
2011169544.tif 000007